【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
溶接電力供給装置であって、
溶接プロセスのための低周波溶接電力信号を生成し、前記低周波溶接電力信号を二本の溶接ケーブルに提供する、溶接電源、
前記二本の溶接ケーブルのうちの少なくとも一本に結合させられた電力線通信回路であり、当該電力線通信回路は、前記溶接ケーブルのうちの少なくとも一本を介して高帯域幅ＯＦＤＭデータ信号を受信し、当該電力線通信回路は、第一の高速通信バスを介して前記溶接電源に結合させられ、さらに、前記高帯域幅ＯＦＤＭデータ信号は、前記溶接ケーブルのうちの他の一本を介して前記溶接プロセスにおいて検出されたアーク電圧及び電流を代表する溶接アークフィードバック信号に対応する、電力線通信回路、及び
第二の高速通信バスを介して前記電力線通信回路及び前記溶接電源に結合させられた、溶接論理制御部、
を有し、
前記低周波溶接電力信号は上限周波数を有し、前記高帯域幅ＯＦＤＭデータ信号は下限周波数を有し、前記上限周波数と前記下限周波数との間に少なくとも１ＭＨｚの周波数ギャップが存在する、
溶接電力供給装置。
【請求項２】
前記アーク電圧及び電流のうちの少なくとも一つを検出するために、別個の且つ識別可能な電圧又は電流感知線が使用されていない、請求項１に記載の溶接電力供給装置。
【請求項３】
前記高帯域幅ＯＦＤＭデータ信号は、４０９６の識別可能な同時搬送周波数を有する、請求項１に記載の溶接電力供給装置。
【請求項４】
前記電力線通信回路は、複数の入力、複数の出力アンテナを有する、請求項１に記載の溶接電力供給装置。
【請求項５】
前記高帯域幅ＯＦＤＭデータ信号は、２ＭＨｚから１００ＭＨｚまでの周波数範囲にある、請求項１に記載の溶接電力供給装置。
【請求項６】
前記高帯域幅ＯＦＤＭデータ信号は、電力線通信仕様に少なくとも部分的に規定される、請求項１に記載の溶接電力供給装置。
【請求項７】
前記電力線通信仕様はＧ．ｈｎ規格群に基づく、請求項６に記載の溶接電力供給装置。
【請求項８】
前記電力線通信回路は、遠隔のワイヤ給送装置に前記溶接アークフィードバック信号の受信成功の通知を送信する、請求項１に記載の溶接電力供給装置。
【請求項９】
前記電力線通信回路は、前記溶接アークフィードバック信号を受信しないことに基づいて、遠隔のワイヤ給送装置に前記溶接アークフィードバック信号の再送信のリクエストを送信する、請求項１に記載の溶接電力供給装置。
【請求項１０】
前記電力線通信回路は、少なくとも一つのネットワークモジュール及び少なくともメモリモジュールを含む、請求項１に記載の溶接電力供給装置。
【請求項１１】
前記少なくとも一つのネットワークモジュールは、イーサネットポートを含む、請求項１０に記載の溶接電力供給装置。
【請求項１２】
前記少なくとも一つのネットワークモジュールは、ＵＳＢポートを含む、請求項１０に記載の溶接電力供給装置。
【請求項１３】
前記溶接電源、前記電力線通信回路及び前記溶接論理制御部を含むハウジングユニットを更に有する、請求項１に記載の溶接電力供給装置。
【請求項１４】
溶接方法であって、
溶接電源からの低周波溶接電力信号を生成するステップ、
前記溶接電源からの前記低周波溶接電力信号を、溶接ケーブルの第一のセットを介してワイヤフィーダに送信するステップ、
前記低周波溶接電力信号を前記ワイヤフィーダにおいて受信するステップ、
前記低周波溶接電力信号を、溶接ケーブルの第二のセットを介して遠隔の溶接装置及び溶接されるべき少なくとも一つのワークピースに提供するステップ、
溶接ケーブルの前記第二のセットを使用してアーク電圧及び電流のうちの少なくとも一つを検出するステップ、
前記の検出されたアーク電圧又は電流を代表する溶接アークフィードバック信号を生成するステップ、及び
溶接ケーブルの前記第一のセットに、前記溶接アークフィードバック信号に対応する高帯域幅ＯＦＤＭデータ信号を提供するステップであり、前記高帯域幅ＯＦＤＭデータ信号は前記溶接電源に送信され、前記溶接電源は前記高帯域幅ＯＦＤＭデータ信号を使用して前記低周波溶接電力信号を生成する、提供するステップ、
を含み、
前記低周波溶接電力信号は上限周波数を有し、前記高帯域幅ＯＦＤＭデータ信号は下限周波数を有し、前記上限周波数と前記下限周波数との間に少なくとも１ＭＨｚの周波数ギャップが存在する、
溶接方法。
【請求項１５】
前記アーク電圧及び電流のうちの少なくとも一つを検出するために、別個の且つ識別可能な電圧又は電流感知線及び前記溶接電源からの感知が使用されていない、請求項１４に記載の溶接方法。
【請求項１６】
アナログ−デジタル変換器を使用して、前記溶接アークフィードバック信号を前記高帯域幅ＯＦＤＭデータ信号に変調するステップを更に含む、請求項１４に記載の溶接方法。
【請求項１７】
遠隔の溶接電源から、溶接ケーブルの前記第一のセットを介して、前記高帯域幅ＯＦＤＭデータ信号の受信に対応する通知を受信するステップを更に含む、請求項１４に記載の溶接方法。
【請求項１８】
溶接ケーブルの前記第一のセットを介して、前記遠隔の溶接電源から、フィードバック電圧信号の再送信のリクエストを受信するステップを更に含む、請求項１４に記載の溶接方法。
【請求項１９】
前記高帯域幅ＯＦＤＭデータ信号は、複数のアンテナを介して溶接ケーブルの前記第一のセットに提供される、請求項１４に記載の溶接方法。
【請求項２０】
前記高帯域幅ＯＦＤＭデータ信号は、４０９６の識別可能な同時搬送周波数を有する、請求項１４に記載の溶接方法。
【請求項２１】
前記高帯域幅ＯＦＤＭデータ信号は、２ＭＨｚから１００ＭＨｚまでの周波数範囲にある、請求項１４に記載の溶接方法。
【請求項２２】
前記高帯域幅ＯＦＤＭデータ信号を高次、ハイパスフィルタに通すことによって、前記高帯域幅ＯＦＤＭデータ信号を抽出するステップを更に有する、請求項１４に記載の溶接方法。
【請求項２３】
前記高帯域幅ＯＦＤＭデータ信号は、電力線通信仕様に少なくとも部分的に規定される、請求項１４に記載の溶接方法。
【請求項２４】
電力線通信仕様はＧ．ｈｎ規格群に基づく、請求項１４に記載の溶接方法。
【請求項２５】
溶接システムであって、
溶接動作のための低周波溶接電力信号を生成する溶接電源及び高帯域幅データ信号を送信及び受信する電力線通信回路を有する、溶接電力供給装置であり、前記溶接電源は前記高帯域幅データ信号を使用して前記低周波溶接電力信号を生成する、溶接電力供給装置、
前記溶接電力供給装置から前記低周波溶接電力信号を受信し、前記溶接動作において生み出されるアーク電圧及び電流のうちの少なくとも一つを代表するアークフィードバック信号を前記溶接電力供給装置に提供するように構成された、ワイヤフィーダ、及び
前記溶接電力供給装置と前記ワイヤフィーダとの間に動作可能に接続された溶接ケーブルのセットであり、当該溶接ケーブルのセットは、前記低周波溶接電力信号及び前記高帯域幅データ信号を伝送する、溶接ケーブルのセット、
を有し、
前記低周波溶接電力信号は上限周波数を有し、前記高帯域幅データ信号は下限周波数を有し、前記上限周波数と前記下限周波数との間に少なくとも１ＭＨｚの周波数ギャップが存在する、
溶接システム。
【請求項２６】
前記アーク電圧及び電流のうちの少なくとも一つを検出するために、別個の且つ識別可能な電圧又は電流感知線が使用されていない、請求項２５に記載の溶接システム。
【請求項２７】
前記電力線通信回路は、複数の入力、複数の出力アンテナを有する、請求項２５に記載の溶接システム。
【請求項２８】
前記ワイヤフィーダは、複数の入力、複数の出力アンテナを有する、請求項２５に記載の溶接システム。
【請求項２９】
前記高帯域幅データ信号は、２ＭＨｚから１００ＭＨｚまでの周波数範囲にある、請求項２５に記載の溶接システム。
【請求項３０】
前記アークフィードバック信号は、ＯＦＤＭを使用して前記高帯域幅データ信号に変調される、請求項２５に記載の溶接システム。
【請求項３１】
前記溶接電力供給装置は溶接論理制御部に結合させられ、前記溶接論理制御部は、前記溶接電力供給装置に制御命令を与える、請求項２５に記載の溶接システム。
【請求項３２】
前記電力線通信回路は、ネットワークモジュール及びメモリモジュールを含む、請求項２５に記載の溶接システム。
【請求項３３】
前記ネットワークモジュールは、一つ以上のＵＳＢポートを含む、請求項３２に記載の溶接システム。
【請求項３４】
前記ネットワークモジュールは、イーサネットポートを含む、請求項３２に記載の溶接システム。
【請求項３５】
前記高帯域幅データ信号は、電力線通信仕様に少なくとも部分的に規定される、請求項２５に記載の溶接システム。
【請求項３６】
前記電力線通信仕様はＧ．ｈｎ規格群に基づく、請求項３５に記載の溶接システム。
【請求項３７】
前記高帯域幅データ信号は、４０９６の識別可能な同時搬送周波数を有する、請求項２５に記載の溶接システム。